(57)【要約】【課題】  遊技機の組み立て工程を簡明化するとともに、遊技機回収後のリサイクル性を向上させ、併せてメンテナンス工数を削減可能な遊技盤係止保持機構を提供する。【解決手段】  クランプ軸５１にレバー部材５２、スプリング５３、平座金５４、及びナット５５，５６を組付けてレバー組立体５０Ａが形成される。クランプ軸５１の軸端部には軸対称位置において軸部５１ａから半径方向に突出する軸側係合部５１ｂが設けられる一方、遊技盤を収容する枠部材２０には軸側係合部と相似の孔形状でクランプ軸５１の回動角度位置に応じて軸側係合部５１ｂを前後に挿抜させ、及び挿入された軸側係合部５１ｂと係合してクランプ軸を係止可能な枠側係合部２７ａ，２７ｂ，２８ｂが設けられており、軸側係合部を枠側係合部に挿通してクランプ軸５１を回動することで、レバー組立体５０Ａがレバー装着部５０Ｂに一体的に装着され遊技盤係止保持機構５０が形成される。【選択図】  図６
2006230916.tif 000002
【特許請求の範囲】
【請求項１】
前面に遊技領域が形成された遊技盤を枠部材の後方から着脱可能に収容して前記遊技盤の前面側を支持する遊技盤収容部を備えた遊技機に設けられ、前記遊技盤収容部に収容された前記遊技盤の後面側と係脱可能に係合して前記遊技盤を収容姿勢に保持させる遊技機用の遊技盤係止保持機構であって、
前後に延びる回動支軸と、前記回動支軸に支持されて当該回動支軸の軸まわりに回動可能なレバー部材と、前記回動支軸の後部に固定された係止部材と、前記レバー部材と前記係止部材との間に配設されて前記レバー部材を前方に付勢するための弾性部材とを備え、
前記回動支軸の前端部には軸対称位置において前記回動支軸の外周面から半径方向に突出する軸側係合部が設けられ、
前記枠部材には前記軸側係合部と相似の孔形状に形成されて前記回動支軸の軸まわりの回動角度位置に応じて前記軸側係合部を前後に挿抜させ、及び前記回動角度位置に応じて挿入された前記軸側係合部と係合して前記回動支軸を係止可能な枠側係合部が設けられ、
前記回動支軸に前記レバー部材と前記弾性部材と前記係止部材とを組付けたレバー組立体の前記軸側係合部を前記枠側係合部に位置合わせして挿通し、前記回動支軸を回動して前記軸側係合部と前記枠側係合部とを係合させることで前記レバー組立体が前記枠部材に一体的に装着され、前記レバー部材を回動して前記遊技盤収容部に収容された前記遊技盤の後面側に係合させたときに前記遊技盤が前記収容姿勢に保持されるように構成したことを特徴とする遊技機用の遊技盤係止保持機構。
【請求項２】
前面に遊技領域が形成された遊技盤を枠部材の前方から着脱可能に収容して前記遊技盤の後面側を支持する遊技盤収容部を備えた遊技機に設けられ、前記遊技盤収容部に収容された前記遊技盤の前面側と係脱可能に係合して前記遊技盤を収容姿勢に保持させる遊技機用の遊技盤係止保持機構であって、
前後に延びる回動支軸と、前記回動支軸に支持されて当該回動支軸の軸まわりに回動可能なレバー部材と、前記回動支軸の前部に固定された係止部材と、前記レバー部材と前記係止部材との間に配設されて前記レバー部材を後方に付勢するための弾性部材とを備え、
前記回動支軸の後端部には軸対称位置において前記回動支軸の外周面から半径方向に突出する軸側係合部が設けられ、
前記枠部材には前記軸側係合部と相似の孔形状に形成されて前記回動支軸の軸まわりの回動角度位置に応じて前記軸側係合部を前後に挿抜させ、及び前記回動角度位置に応じて挿入された前記軸側係合部と係合して前記回動支軸を係止可能な枠側係合部が設けられ、
前記回動支軸に前記レバー部材と前記弾性部材と前記係止部材とを組付けたレバー組立体の前記軸側係合部を前記枠側係合部に位置合わせして挿通し、前記回動支軸を回動して前記軸側係合部と前記枠側係合部とを係合させることで前記レバー組立体が前記枠部材に一体的に装着され、前記レバー部材を回動して前記遊技盤収容部に収容された前記遊技盤の前面側に係合させたときに前記遊技盤が前記収容姿勢に保持されるように構成したことを特徴とする遊技機用の遊技盤係止保持機構。
【発明の詳細な説明】
【技術分野】
【０００１】
本発明は、遊技盤を着脱可能に収容する遊技盤収容部を備えた遊技機に設けられ、遊技盤収容部に収容された遊技盤を収容姿勢に保持させる遊技機用の遊技盤係止保持機構に関する。
【背景技術】
【０００２】
上記のような遊技盤係止保持機構を備えた弾球遊技機として、例えばパチンコ機や雀球遊技機、アレンジボール機などが広く知られている。この種の遊技機の代表例とされるパチンコ機では、ベニヤとも称される化粧板の前面に、多数本の遊技釘とともに風車、固定入賞具、図柄表示装置、種々の可動入賞装置や可動装飾装置などの遊技部品が取り付けられた遊技盤が用いられ、この遊技盤が開閉搭載枠たる前枠に取り付けられ、その後方に裏機構盤と称される球処理機構盤及び制御装置が取り付けられて一体のパチンコ機が形成される。パチンコ機では、機体のベースとなる前枠や裏機構盤が一定期間一定の仕様で設定される一方、製造工場における生産機種の変更や、遊技施設におけるいわゆる盤面換え等を容易に行い得るように、前枠に遊技盤を着脱可能に収容する遊技盤収容部（一般的に収容枠と称される）が形成され、この収容枠に機種ごとに異なるゲージ設定で形成された遊技盤を収容して遊技盤係止保持機構により係止保持させることで、生産機種の変更や盤面換えを容易に行えるように構成されている。
【０００３】
収容枠は、一般的には開閉搭載枠たる前枠の後面側または前面側に前枠と一体的に形成されており、例えば遊技盤を前枠の後面側から着脱する形態の遊技機（いわゆる遊技盤後方脱着形態の遊技機）の収容枠では、化粧板の前面を支持する前方支持部及び化粧板の周囲を囲むように前方支持部から後方に突出して形成された枠部とを主体として構成される。また、遊技盤を前枠の前面側から着脱する形態の遊技機（いわゆる遊技盤前方脱着形態の遊技機）の収容枠では、化粧板の後面を支持する後方支持部及び化粧板の周囲を囲むように後方支持部から前方に突出して形成された枠部とを主体として構成される。収容枠の外周部には、枠内部に収容された化粧板と係脱可能に係合して遊技盤を収容状態に係止保持する遊技盤係止保持機構が枠部を囲む複数箇所に設けられる。
【０００４】
遊技盤係止保持機構は、例えば遊技盤後方脱着形態の遊技機においては、収容枠の枠壁の外側に前方支持部から後方に突出する回動支軸を立設し、回動支軸の後部に軸まわりに回動自在にレバー部材を支持させるとともにバネ部材によりレバー部材を前方に付勢し、レバー部材を回動操作して化粧板の後面に乗り上げるように係合させることで、遊技盤を前方支持部とレバー部材との間に弾性的に挟み込ませて、収容枠に着脱可能に係止保持する構成が広く用いられている。（例えば、特許文献１を参照）。
【０００５】
【特許文献１】特開平９−１６４２５４号公報（第８，１０〜１１頁、図７）
【発明の開示】
【発明が解決しようとする課題】
【０００６】
しかしながら、従来から用いられている遊技盤係止保持機構には、以下のような問題があった。例えば、従来の遊技盤係止保持機構の構成例として、回動支軸に六角ボルトを利用した遊技盤係止保持機構がある。これは、特許文献１に遊技盤後方脱着形態のパチンコ機に対する適用例が記載されているように、レバー部材を支持する回動支軸に六角ボルトを用い、前枠にはレバー部材の回動操作によって回動支軸が供回りしないようにボルト頭部を支持する六角穴部を有するボルト挿通孔を形成して、このボルト挿通孔に前枠の前面側から六角ボルトを挿入し、前枠の後面側に突出した軸部にレバー部材、コイルバネ等を順次装着し、ボルト先端のネジ部にナットを螺合して締め込むことで、遊技盤係止保持機構が組み立てられるように構成されていた。
【０００７】
このような構成では、遊技盤係止保持機構の組み立て作業が、遊技機の基体となる前枠に、六角ボルト、レバー部材、コイルバネ、ナット等の小物部品を順次装着して組み付けてゆく作業となるため、遊技機本体の組み立て工程（メインフロー）が複雑化し、生産性向上を阻害する要因のひとつになっていた。また遊技盤係止保持機構の組み付け作業が前枠の前面側からの作業と後面側からの作業との両面作業となり、組み立てラインも両面作業を前提としたライン構成が必要となるなど、作業面及び設備面の両方について改善すべき課題になっていた。
【０００８】
一方、従来の遊技盤係止保持機構における他の構成例として、回動支軸にスタッドボルトを用いた遊技盤係止保持機構がある。これは、回動支軸の一端側の外周部に雄ネジ部を形成し他端側の外周部にアヤメローレット等の加工を施して植設部を形成する一方、前枠側には植設部の外径よりも小さめの穴径で円筒状に形成した植え込み穴を形成し、この植え込み穴に植設部を圧入固定して回動支軸を立設し、植え込み穴から突出した軸部にレバー部材、コイルバネ等を順次装着し、回動支軸先端のネジ部にナットを螺合して締め込むことで、遊技盤係止保持機構が組み付けられるように構成されていた。
【０００９】
このような構成では、作業面が片面で回動支軸を機械的に打ち込むことが可能である反面、一度圧入固定された回動支軸を取り外すことが困難である。このため、遊技機を回収して資源をリサイクルする際には、樹脂材料製の前枠と金属材料製の回動支軸とを分別して各素材ごとの再生ルートに乗せる必要があるが、強固に圧入固定された回動支軸を分離するために特殊工具または機械を用いた分離工程が必要になり、リサイクル工数及びコストを上昇させる原因になっていた。また、遊技施設での稼働期間中に、収容枠の周囲に複数植設された回動支軸のうちの何れか１箇所が破損したような場合でも前枠全体を交換しなければならず、わずか１箇所の係止保持機構の不具合にも拘わらず交換工数が多大になるという問題があった。
【００１０】
本発明は上記のような事情に鑑みてなされたものであり、遊技機の組み立て工程を簡明化して生産性の向上に寄与するとともに、遊技機回収後のリサイクル性を向上させ、さらに遊技盤係止保持機構の不具合に対するメンテナンス工数をも削減可能な遊技機用の遊技盤係止保持機構を提供することを目的とする。
【課題を解決するための手段】
【００１１】
上記目的達成のため、第１の本発明は、前面に遊技領域が形成された遊技盤を枠部材（例えば、実施形態における前枠２）の後方から着脱可能に収容して遊技盤の前面側を支持する遊技盤収容部を備えた遊技機（前述した遊技盤後方脱着形態の遊技機）に設けられ、遊技盤収容部に収容された遊技盤の後面側と係脱可能に係合して遊技盤を収容姿勢に保持させる遊技機用の遊技盤係止保持機構であり、前後に延びる回動支軸（例えば、実施形態におけるクランプ軸５１）と、回動支軸に支持されて当該回動支軸の軸まわりに回動可能なレバー部材と、回動支軸の後部に固定された係止部材（例えば、実施形態におけるロックナット５５，袋ナット５６）と、レバー部材と係止部材との間に配設されてレバー部材を前方に付勢するための弾性部材（例えば、実施形態におけるコイルスプリング５３）とを備えて構成される。そしてこの遊技盤係止保持機構では、回動支軸の前端部に軸対称位置において回動支軸の外周面から半径方向に突出する軸側係合部が設けられ、枠部材には軸側係合部と相似の孔形状に形成されて回動支軸の軸まわりの回動角度位置に応じて軸側係合部を前後に挿抜させ、及び回動角度位置に応じて挿入された軸側係合部と係合して回動支軸を係止可能な枠側係合部が設けられており、回動支軸にレバー部材と弾性部材と係止部材とを組付けたレバー組立体の軸側係合部を枠側係合部に位置合わせして挿通し、回動支軸を回動して軸側係合部と枠側係合部とを係合させることでレバー組立体が枠部材に一体的に装着され、レバー部材を回動して遊技盤収容部に収容された遊技盤の後面側に係合させたときに遊技盤が収容姿勢に保持されるように遊技盤係止保持機構を構成する。
【００１２】
第２の本発明は、前面に遊技領域が形成された遊技盤を枠部材の前方から着脱可能に収容して遊技盤の後面側を支持する遊技盤収容部を備えた遊技機（前述した遊技盤前方脱着形態の遊技機）に設けられ、遊技盤収容部に収容された遊技盤の前面側と係脱可能に係合して遊技盤を収容姿勢に保持させる遊技機用の遊技盤係止保持機構であり、前後に延びる回動支軸（例えば、実施形態におけるクランプ軸５１）と、回動支軸に支持されて当該回動支軸の軸まわりに回動可能なレバー部材と、回動支軸の前部に固定された係止部材（例えば、実施形態におけるロックナット５５，袋ナット５６）と、レバー部材と係止部材との間に配設されてレバー部材を後方に付勢するための弾性部材（例えば、実施形態におけるコイルスプリング５３）とを備えて構成される。そしてこの遊技盤係止保持機構では、回動支軸の後端部に軸対称位置において回動支軸の外周面から半径方向に突出する軸側係合部が設けられ、枠部材には軸側係合部と相似の孔形状に形成されて回動支軸の軸まわりの回動角度位置に応じて軸側係合部を前後に挿抜させ、及び回動角度位置に応じて挿入された軸側係合部と係合して回動支軸を係止可能な枠側係合部が設けられており、回動支軸にレバー部材と弾性部材と係止部材とを組付けたレバー組立体の軸側係合部を枠側係合部に位置合わせして挿通し、回動支軸を回動して軸側係合部と枠側係合部とを係合させることでレバー組立体が枠部材に一体的に装着され、レバー部材を回動して遊技盤収容部に収容された遊技盤の前面側に係合させたときに遊技盤が収容姿勢に保持されるように遊技盤係止保持機構を構成する。
【発明の効果】
【００１３】
上記第１の発明に係る遊技盤係止保持機構では、回動支軸の前端部に軸対称位置において回動支軸の外周面から半径方向に突出する軸側係合部が設けられ、枠部材には軸側係合部と相似の孔形状に形成された枠側係合部が設けられている。この枠側係合部は回動支軸の軸まわりの回動角度位置に応じて軸側係合部を前後に挿抜させる一方、回動角度位置に応じて既に挿入された軸側係合部と係合して回動支軸を係止可能に構成されており、回動支軸にレバー部材と弾性部材と係止部材とを組付けたレバー組立体の軸側係合部を枠側係合部に位置合わせして挿通し、回動支軸を回動して軸側係合部と枠側係合部とを係合させることでレバー組立体が枠部材に一体的に装着される。そして、レバー部材を回動して遊技盤収容部に収容された遊技盤の後面側に係合させたときに遊技盤が収容姿勢に保持されるように構成される。
【００１４】
このように、本構成の遊技盤係止保持機構では、回動支軸にレバー部材と弾性部材と係止部材とを組付けたレバー組立体が形成され、このレバー組立体の軸側係合部を枠側係合部に位置合わせして挿通し係合させることで、レバー組立体が枠部材に一体的に装着される。このため、回動支軸、レバー部材、弾性部材、係止部材等の複数の小物部品からなるレバー組立体を、遊技機本体の組み立てと切り離した別工程（サブフロー）で部分組み立てすることができ、遊技機本体の組み立て工程（メインフロー）を簡明化して生産性向上に寄与することができる。
【００１５】
また、回動支軸の前端部に形成された軸側係合部を枠部材の枠側係合部に位置合わせして挿通し、回動支軸を回動して軸側係合部と枠側係合部とを係合させることでレバー組立体が枠部材に組付けられるため、遊技盤係止保持機構を枠部材の後面側から組付けることができ、枠部材の片面からの作業のみで組付けを完了することができる。そしてこの組付け方向（枠部材の後面側）は、遊技盤を着脱する方向とも一致させている。従って遊技機の組み立てラインも片面作業を基本として組むことができ、作業面及び設備面の両方について改善することができる。
【００１６】
さらに、回動支軸を軸まわりに回動させて、軸側係合部と枠側係合部とが係合した角度位置から、軸側係合部を前後に挿抜させる角度位置に合わせることで、組付けられたレバー組立体を容易に取り外すことができるため、特殊工具または機械を用いることなく簡単に分解することが可能になり、リサイクル工数及びコストを低減させることができる。また、遊技施設での稼働期間中に回動支軸が破損等して使用不能になった場合には、当該損傷を受けたレバー組立体のみを簡単に交換することができ、わずかな作業工数で交換作業を終了することができる。
【００１７】
このような効果は、その構成からも明らかなように、遊技盤前方脱着形態の遊技機に適用した上記第２の発明に係る遊技盤係止保持機構についても同様である。すなわち、第２の発明に係る遊技盤係止保持機構では、回動支軸の後端部に軸対称位置において回動支軸の外周面から半径方向に突出する軸側係合部が設けられ、枠部材には軸側係合部と相似の孔形状に形成された枠側係合部が設けられている。枠側係合部は回動支軸の軸まわりの回動角度位置に応じて軸側係合部を前後に挿抜させる一方、回動角度位置に応じて既に挿入された軸側係合部と係合して回動支軸を係止可能に構成されており、回動支軸にレバー部材と弾性部材と係止部材とを組付けたレバー組立体の軸側係合部を枠側係合部に位置合わせして挿通し、回動支軸を回動して軸側係合部と枠側係合部とを係合させることでレバー組立体が枠部材に一体的に装着される。そして、レバー部材を回動して遊技盤収容部に収容された遊技盤の前面側に係合させたときに遊技盤が収容姿勢に保持されるように構成される。
【００１８】
このように、第２の発明に係る遊技盤係止保持機構においても、回動支軸にレバー部材と弾性部材と係止部材とを組付けたレバー組立体が形成され、このレバー組立体の軸側係合部を枠側係合部に位置合わせして挿通し係合させることで、レバー組立体が枠部材に一体的に装着される構成のため、回動支軸、レバー部材、弾性部材、係止部材等の複数の小物部品からなるレバー組立体を、遊技機本体の組み立てと切り離した別工程で部分組み立てすることができ、遊技機本体の組み立て工程を簡明化して生産性向上に寄与することができる。
【００１９】
また、回動支軸の後端部に形成された軸側係合部を枠部材の枠側係合部に位置合わせして挿通し、回動支軸を回動して軸側係合部と枠側係合部とを係合させることでレバー組立体が枠部材に組付けられるため、遊技盤係止保持機構を枠部材の前面側から組付けて片面からの作業のみで組付けを完了することができ、かつこの組付け方向（枠部材の前面側）を遊技盤の着脱方向と一致させている。従って遊技機の組み立てラインも片面作業を基本として組むことができ、作業面及び設備面の両方について改善することができる。
【００２０】
さらに、回動支軸を軸まわりに回動させて、軸側係合部を前後に挿抜させる角度位置に合わせることで、組付けたレバー組立体を容易に取り外すことができるため、特殊工具または機械を用いることなく簡単に分解することが可能になり、リサイクル工数及びコストを低減させることができる。また、遊技施設での稼働期間中に回動支軸が破損した場合に当該損傷を受けたレバー組立体のみを簡単に交換することができ、わずかな作業工数で交換作業を終了することができる。
【００２１】
従って、第１または第２の本発明によれば、遊技機の組み立て工程を簡明化して生産性の向上に寄与するとともに、遊技機回収後のリサイクル性を向上させ、さらに遊技盤係止保持機構の不具合に対するメンテナンス工数をも削減可能な遊技機用の遊技盤係止保持機構を提供することができる。
【発明を実施するための最良の形態】
【００２２】
以下、本発明を実施するための形態について添付図面を参照しながら説明する。本発明に係る遊技盤係止保持機構を備えた遊技機の一例として、図１〜図３の各図に遊技盤後方脱着形態のパチンコ機を例示しており、まずこれらの図面を参照してパチンコ機ＰＭの全体構成について要約説明する。ここで、図１はパチンコ機ＰＭを斜め前方から見た斜視図、図２は前面のガラス扉及び上球皿を横開き開放した状態の斜視図、図３はパチンコ機ＰＭを斜め後方から見た斜視図である。
【００２３】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられた施錠装置４を利用して常には外枠１と係合連結された閉止状態に保持される。
【００２４】
前枠２の前面側では、前側面域に合わせた方形状のガラス扉５及び上球皿６が横開き開閉及び着脱可能に組付けられるとともに、上球皿６の下側に下球皿７、発射ハンドル８が組付けられ、前枠２の下部後面側に遊技球発射装置９の駆動機構部が装備されている。前枠２の上部には後に詳述する収容枠２０が前枠２と一体に形成されており、この収容枠２０に所定のゲージ設定で構成された遊技盤３０が前枠後方から着脱可能に収容され、周囲に設けられた遊技盤係止保持機構５０を利用して係止保持されて、常には閉鎖保持されるガラス扉５に遊技盤正面の遊技領域ＰＡを臨ませている。収容枠２０の下側には遊技補助盤と称される補助機構部１０が設けられ、その前面側に遊技球発射装置９の発射機構部や下部スピーカなどが設けられている。
【００２５】
遊技盤３０は、例えば板厚１９mm程度の積層合板の表面にセルを貼り付けてルーター加工した化粧板３１を基板とし、化粧板側３１の前面に取り付けられた内レール部材３７及び前枠２に形成された内外のレール部２１ａ，２１ｂにより、遊技盤３０の収容状態において略円形の遊技領域ＰＡが形成される。遊技領域ＰＡには、何れも詳細図示省略するが、多数本の遊技釘３２（図９及び図１０を参照）が化粧板３１の前面に突設されるとともに、遊技球が落入可能な固定入賞装置、電動チューリップ型やアタッカー型の可動入賞装置、遊技の展開状況に応じた図柄を表示する図柄表示装置を備えた中央飾りなどが取り付けられ、遊技領域ＰＡの下端部には化粧板３１を前後に貫通するアウト口３８が開口形成されている。
【００２６】
前枠２の裏面側に裏機構盤が設けられている。裏機構盤は、化粧板３１の下端面より上方の高さ範囲に設けられた逆Ｌ字状の上部裏機構盤４１と、化粧板３１の下端面よりも下側の高さ範囲に設けられた横長の下部裏機構盤４２とからなり、それぞれ前枠２の背面右側に設けられたヒンジ機構を利用して各々独立して横開き開閉及び着脱が可能に取り付けられ、常には、図３に示すようにそれぞれ化粧板３１及び遊技補助盤１０の背後を覆うように閉止保持される。
【００２７】
上部裏機構盤４１には球貯留タンク４１ａや球払出装置４１ｂなどの主として賞球の払出機構及び球抜き機構が設けられ、下部裏機構盤４２の前面側には遊技盤３０から排出されたセーフ球やアウト球等の遊技済み球を遊技施設の回収装置に導く遊技済み球排出通路４２ｂ（図４を参照）、後面側に遊技球の払い出し作動を制御する球払出制御装置４４や各制御装置や電子部品に電力を供給する電源ユニット４５などの各種制御装置が取り付けられ、これらがコネクタケーブルで接続されてパチンコ機ＰＭが作動可能に構成される。
【００２８】
パチンコ機ＰＭは、上球皿６及びガラス扉５が閉止施錠された状態で遊技に供され、上球皿６の球受け皿に遊技球を貯留させて発射ハンドル８を操作することで遊技が開始される。発射ハンドル８において発射操作が行われると、上球皿６に貯留された遊技球が１球ずつ遊技球発射装置９に送り出され、遊技球発射装置のハンマーにより遊技領域ＰＡに打ち出されてパチンコゲームが展開される。
【００２９】
このように概要構成されるパチンコ機ＰＭにあって、前枠２の上部に遊技盤を収容する収容枠２０が設けられ、この収容枠２０の周縁に遊技盤３０を係脱可能に係止保持する遊技盤係止保持機構５０が設けられている。以下図４〜図８の各図を併せて参照しながら収容枠２０及び遊技盤係止保持機構５０の構成について詳細に説明する。
【００３０】
ここで、図４は前枠２を外枠１の前方に開放し上下の裏機構盤４１，４２を前枠２の後方に開放した状態の斜視図、図５は遊技盤３０を取り外した状態で収容枠２０を主として示す前枠後方からの斜視図、図６〜図８は遊技盤保持機構５０におけるレバー組立体５０Ａを前枠２のレバー装着部５０Ｂに装着して係止固定するまでの過程を時系列に示す断面図であって、図６がレバー組立体５０Ａをレバー装着部５０Ｂに装着する前の状態〜図７がレバー組立体のクランプ軸５１をレバー装着部の支軸ボス２７に収容して押圧した状態〜図８がクランプ軸５１を回動して係止保持させた状態（遊技盤係止保持機構５０が形成された状態）を示している。なお以降では収容枠２０を後方から見た図面を主として参照しながら説明するため、背面視における左右方向をもって左・右と称して説明する。
【００３１】
収容枠２０は、化粧板３１の前面を支持する前方支持面２２が形成された前方支持部２１、化粧板３１の周囲を囲むように前方支持部２１から後方に突出して設けられた枠部２３、及び前方支持部２１から後方に突出して設けられ化粧板３１を前後に貫通して形成された支軸受容孔３５と係合して遊技盤を位置決めする位置決め支軸２５などを有し、前枠２に一体に形成されている。
【００３２】
前方支持部２１の中央には、前後連通して略円形に開口する窓口開口２１ｗが形成されている。窓口開口２１ｗは、前方支持部２１から一定高さで後方に突出する円筒状に形成されており、この円筒内面に、遊技球発射装置９から発射された遊技球を受けて遊技領域ＰＡに導く外レール部２１ａ、及び外レール部の終端に設けられた返しゴム（不図示）から下方に延びる内レール部２１ｂが形成されている。窓口開口２１ｗの後端部は平坦に成型されて略円環状の前方支持面２２が形成され、収容枠２０に収容保持された化粧板３１の前面を当接支持して遊技盤３０を前後方向に位置決めする基準面になっている。
【００３３】
窓口開口２１ｗの外側に位置して、前方支持部２１から後方に突出して外殻方形の枠部２３が形成されている。枠部２３は、上方枠壁２３Ｕ、下方枠壁２３Ｄ、左方枠壁２３Ｌ、右方枠壁２３Ｒからなり、上下の枠壁２３Ｕ，２３Ｄ及び左右の枠壁２３Ｌ，２３Ｒの各内面間隔が、化粧板３１の上下左右の外形寸法よりも幾分大きめに設定されている。各枠壁の前後方向の高さは、前方支持面２２から枠壁後端までの高さが化粧板３１の板厚よりも幾分小さめに形成されており、遊技盤３０を収容枠２０に収容させたときに化粧板３１が枠部２３内に収容され、上下左右の枠壁が化粧板３１の周囲を覆って配設されるようになっている。上下の枠壁２３Ｕ，２３Ｄの下面には所定間隔をおいて補強用のリブ２３ｂが形成されている。
【００３４】
収容枠２０の上部左右には、前方支持部２１の前面側に上部スピーカーをねじ止めするスピーカーマウント部が形成されるとともに、前方支持部２１の後面側には、ねじ止めされた上部スピーカーの後部全周を囲むスピーカー収容部２４が枠部２３と一体に形成されており、スピーカーの背面側に放出された逆位相の音が遊技盤の前面側に漏れないように、すなわち遊技機前方に放出された正位相の音が歪むことなくクリアな音程で再生されるようになっている。
【００３５】
収容枠２０の内側には、化粧板３１に前後を貫通して形成された支軸受容孔３５，３５と位置整合する左上方及び右下方の２箇所に、前方支持部２１から後方に突出して位置決め支軸２５，２５が設けられている。位置決め支軸２５は、前方支持部２１から後方に膨出された比較的大径の台座部２５ａと、この台座部よりも小径で台座部２５ａからさらに後方に突出する嵌合軸部２５ｂとからなる前後２段の段付き円筒状をなし、前枠２に一体に形成されている。
【００３６】
台座部２５ａの後端（嵌合軸部２５ｂの基端）には、窓口開口２１ｗの後端に形成された前方支持面２２と同一面上に位置して円環状の前方支持面２６が形成されており、窓口開口２１ｗを囲む前方支持面２２とともに化粧板３１の前面を当接支持し、遊技盤３０の前後方向の位置決め基準になっている。上下２箇所の位置決め支軸は、化粧板３１の上下・左右方向位置、及び盤面に直交する軸まわりの回転方向位置を規定する基準であり、例えば右下方の位置決め支軸が遊技盤３０の上下・左右方向の位置決め基準、左上方の位置決め支軸が遊技盤３０の回転方向の位置決め基準とされる。
【００３７】
位置決め支軸２５の突出高さは、前方支持面２２，２６から嵌合軸部２５ｂの後端までの高さ（以下、「嵌合軸高さ」という）が、化粧板３１に打ち込まれた遊技釘３２の化粧板前面から前端までの高さ（以下、「釘高さ」という）、前方支持面２２，２６から枠壁後端までの高さ（以下、「枠高さ」という）、及び化粧板３１の板厚よりも大きくなるように設定している。
【００３８】
収容枠２０の外側には、収容枠２０に収容した遊技盤３０を収容状態に係止保持する遊技盤係止保持機構５０が上下左右の４箇所に設けられている。遊技盤係止保持機構５０は、大別的には、クランプ軸５１及びレバー部材５２等からなるレバー組立体５０Ａと、前枠２の前方支持部２１に形成されてレバー組立体５０Ａを着脱可能に係止保持するレバー装着部５０Ｂとから構成される。
【００３９】
レバー組立体５０Ａは、前後に延びる棒状のクランプ軸５１と、クランプ軸５１に軸まわりに回動可能に支持されたレバー部材５２、クランプ軸５１の後部に固定されたロックナット５５及び袋ナット５６、レバー部材５２とロックナット５５との間に位置してクランプ軸の外周部に装着されたコイルスプリング５３及び平座金５４などから構成される。
【００４０】
クランプ軸５１は、前後に延びる軸部５１ａと、その前端側に形成された軸側係合部と、軸部の後端側に形成された雄ネジ部５１ｃなどからなり、軸側係合部は軸対称位置においてクランプ軸５１の外周面から半径方向に突出して形成されている。図６〜図１０の各図には、図６に図中のVIａ矢視方向に見たクランプ軸５１の正面図を付記するように、軸側係合部として、１８０度の軸対称位置において軸部５１ａから軸直交の外周方向に突出する係合ピン５１ｂ，５１ｂを設けた構成例を示す。軸部５１ａの前端部には、後述する支軸ボス２７の貫通孔にクランプ軸５１を挿入する際に軸部前端をガイドして自動調心し、レバー組立体５０Ａの装着を容易化するテーパ状の導入面が形成されている。
【００４１】
クランプ軸５１は、例えば、直径５〜８mm程度のみがき鋼棒を長さ５０〜６０mm程度の所定長さに切断し、軸部５１ａの前端側に軸部を貫通するピン孔、後端側にナット５５，５６を螺合させる雄ネジ部５１ｃを形成するとともに、ピン孔に直径２〜３mm程度の鋼線を利用した係合ピン５１ｂを打ち込んで圧入固定またはカシメ固着し、クロメート処理等の所要の表面処理を施して構成される。
【００４２】
レバー部材５２は、横断面視Ｌ字状のレバー部５２ａと、このレバー部５２ａの基端側に形成された円筒状のバネ収容部５２ｂを主体として構成され、例えばポリアミド（ＰＡ）やポリアセタール（ＰＯＭ）等の樹脂材料を用いて射出成型等により一体成型し、あるいは板厚２mm程度の鋼板をプレス成形したレバー部に円筒状のバネ収容部をカシメ固着して一体に形成される。化粧板３１の後面と係合するレバー部５２ａの前面側先端部には、端面角部が斜めに面取りされて導入部５２ｃが形成されており、レバー部材５２を回動して化粧板３１に係合させるときに、導入部５２ｃが化粧板３１の縁部に乗り上げるように係合し、レバー部５２ａの下面が化粧板３１の裏面と滑らかに係合するようになっている。
【００４３】
コイルスプリング５３は、バネ鋼線やステンレスバネ鋼線を巻き上げて端面を処理したつるまきバネであり、レバー組立体５０Ａをレバー装着部５０Ｂに組み付けた初期状態で一定の初期撓みに基づく初期荷重を有し、レバー部材５２を回動して化粧板３１の裏面に係合させた係止保持状態で20〜60Ｎ程度の所定の押圧力（設定荷重）を生じるように、線径、コイル外径、総巻き数、自由長などが設定される。なおコイルスプリング５３と同様に初期荷重及び設定荷重を生じさせる他の弾性部材として、複数枚の皿バネやウェーブワッシャ、竹の子バネ等を用いて構成しても良い。
【００４４】
レバー組立体５０Ａは、クランプ軸５１の後端側からレバー部材５２、コイルスプリング５３、平座金５４を順次装着し、後端の雄ネジ部５１ｃにロックナット５５と袋ナット５６とを螺合させたうえ、袋ナット５６が緩まないようにロックナット５５を噛み込ませてロックすることにより部分組み立てされ、これらが一体的に組付けられたレバー組立体５０Ａが形成される。
【００４５】
一方、レバー装着部５０Ｂは、中心に前後を貫通する貫通孔を有して後方に延びる円筒状の支軸ボス２７と、このボス部の前方に貫通孔よりも大きな内径寸法で前面側に開口形成された軸端収容部２８とからなる段付き円筒状をなし、前方支持部２１から後方に突出して前枠２と一体に形成されている。レバー装着部５０Ｂにはクランプ軸５１の回動角度位置に応じて軸側係合部を前後に挿抜させ、及び回動角度位置に応じて挿入された軸側係合部と係合してクランプ軸を係止可能な枠側係合部が形成されている。
【００４６】
支軸ボス２７を前後に貫通する貫通孔は、図６中のVIａ矢視方向に見たクランプ軸５１の正面図と、図６中のVIｂ矢視方向に見た支軸ボス２７の断面図とを比較しても明らかなように、正面視における孔形状がクランプ軸５１の正面視の軸端形状と相似形でわずかに大きめに形成されている。すなわち、円孔部２７ａの内径がクランプ軸５１の軸部外径よりも幾分大きめに形成されるとともに、１８０度の軸対称位置（上下２箇所）には係合ピン５１ｂのピン直径よりも幾分大きめの溝幅、及び係合ピン５１ｂの突出高さよりも幾分大きめの溝深さを有するピン挿通溝２７ｂが前後を連通して形成されている。
【００４７】
軸端収容部２８は、図６中のVIｃ矢視断面図を図中に付記したように、クランプ軸５１における係合ピン５１ｂの突出外径よりも幾分大きめの内径寸法でザグリ穴状の収容穴２８ａが前方に開口して形成されており、この収容穴２８ａとボス部を貫通する円孔部２７ａとの径差によって形成される円環状の底面には、係合ピン５１ｂ，５１ｂを受容するＵ字溝状のピン係合溝２８ｂ，２８ｂが、上下のピン挿通溝２７ｂ，２７ｂと９０度の位相差をもって軸対称に形成されている。
【００４８】
このため、軸側係合部の係合ピン５１ｂ，５１ｂを枠側係合部のピン挿通溝２７ｂ，２７ｂの角度位置に合わせることでクランプ軸５１を前後方向に挿抜自在になり、係合ピン５１ｂ，５１ｂを軸端収容部２８まで挿入した状態でクランプ軸を９０度回動させると、係合ピン５１ｂ，５１ｂが軸側係合部のピン係合溝２８ｂ，２８ｂと係合してクランプ軸５１を係止可能になっている。
【００４９】
なお支軸ボス２７の突出高さは、前方支持面２２，２６から支軸ボス２７の後端に形成された円環状のレバー支持面までの高さ（以下「ボス高さ」という）が化粧板３１の板厚よりも幾分低めに設定され、枠部２３の枠高さとの関係では、レバー部材５２を旋回させたときにレバー部５２ａが枠壁に当接しないように、枠高さがボス高さよりも低く設定されている。なお、遊技盤係止保持機構５０近傍部の枠高さを一部低めに構成し、あるいは遊技盤係止保持機構５０近傍部の枠壁を一部切り欠いて構成しても良い。
【００５０】
そして、このように構成されるレバー装着部５０Ｂにレバー組立体５０Ａを収容枠２０の後方から装着することで、遊技盤係止保持機構５０が前枠２に形成される。組付けは、まず軸部５１ａの前端に形成された導入面を円孔部２７ａの後端開口に係合させて自動調心させ、係合ピン５１ｂ，５１ｂを上下のピン挿通溝２７ｂ，２７ｂの角度位置に合わせてクランプ軸５１を支軸ボス２７の貫通孔に挿入する。
【００５１】
クランプ軸５１を挿入してゆくと、係合ピン５１ｂがピン挿通溝２７ｂの前端に到達する以前にコイルスプリング５４が自由長よりも短い圧縮状態になり、撓みに応じたバネ力を発生する。このバネ力に抗して軸部５１ａを押圧挿入し係合ピン５１ｂがピン挿通溝２７ｂを脱して軸端収容部２８に達すると、クランプ軸５１が軸まわりに回動可能な状態になる（図７を参照）。この状態で袋ナット５６を摘んでクランプ軸５１を軸まわりに略９０度回動して押圧力を弱めると、コイルスプリング５４に蓄えられたバネ力によってクランプ軸５１が後方に引き込まれ、係合ピン５１ｂ，５１ｂが軸端収容部のピン係合溝２８ｂ，２８ｂに嵌入してクランプ軸５１が係止される（図８を参照）。これによりレバー組立体５０Ａがレバー装着部５０Ｂに装着され、遊技盤係止保持機構５０が形成される。
【００５２】
こうして遊技盤係止保持機構５０が形成されると、レバー部材５２は、コイルスプリング５３の初期撓みに基づくバネ力（初期荷重）により常時前方に付勢され、バネ収容部５２ｂの前面が支軸ボス２７の後端に形成された円環状のレバー支持面に当接した状態でクランプ軸５１の軸まわりに回動可能に支持される。遊技盤係止保持機構５０は、枠部２３を囲むように上下左右の４箇所に設けられており、各遊技盤係止保持機構５０は、レバー部材５２をクランプ軸５１の軸まわりに回動させたときに、レバー部５２ａが枠部２３の外方に待避し又は化粧板３１に形成された切り欠き部３１ｋと整合して遊技盤３０を着脱自在な解放位置（図８、図９及び図１１(ａ)）と、背面視において枠部２３の内方に突出して化粧板３１の後面と係合し遊技盤３０を収容枠２０に係止保持する係止位置（図１０及び図１１(ｂ)）とに揺動変位可能に配設される。
【００５３】
さて、以上のように構成される収容枠２０に遊技盤３０を装着する過程について、遊技盤の装着状況を示す図９、図１０、及び解放位置と係止位置における化粧板３１とレバー部材５２との関係を背面図で示す図１１を主として参照しながら説明する。ここで、図９は遊技盤３０を収容枠２０に収容させる直前の状態の断面図、図１０は収容枠２０に収容した遊技盤３０を遊技盤係止保持機構５０により係止保持させた状態の断面図（図４におけるX〜矢視方向の断面図）、図１１(ａ)(ｂ)は化粧板３１とレバー部材５２との関係を示す背面図であり、(ａ)図がレバー部材を解放位置に配設した状態、(ｂ)図がレバー部材を解放位置から係止位置に変位させた状態を示している。
【００５４】
作業はまず前枠２を外枠１の前方に開放し、上下の裏セット盤４１，４２を前枠後方に開放した状態（図４を参照）で、上下４箇所の遊技盤係止保持機構５０のレバー部材５２を図１１(ａ)に示す解放位置に設定し、図５に示すように遊技盤３０を収容枠２０の後方から挿入する。
【００５５】
そして、上下２箇所の支軸受容孔３５を位置決め支軸２５に位置合わせしながら化粧板３１を枠部２３に接近させ、支軸受容孔３５の前端開口部を位置決め支軸２５の後端部に係合させる。嵌合突起２５の後端部（嵌合軸部２５ｂの後端角部）にはテーパー状の面取りが施されており、テーパー面の誘導作用により化粧板３１が案内されて支軸受容孔３５が嵌合突起２５と滑らかに嵌合する（図９）。
【００５６】
前述したように、位置決め支軸２５の嵌合軸高さは、枠部２３の枠高さよりも大きく構成されている。このため、遊技盤３０を収容枠２０に収容させる初期状態では、化粧板３１が枠部２３の枠内に進入する以前に、上下２箇所の支軸受容孔３５が各位置決め支軸２５の後端部と係合し、化粧板３１の上下・左右及び回転方向の位置が適正な基準位置に位置決めされる。また上下の位置決め支軸２５が支軸受容孔３５に嵌入せずに化粧板３１の前面に当接した場合には、化粧板３１が枠部２３の内側に進入できずに浮き上がった状態になる。従って、上記何れの場合にも化粧板３１の周縁角部が枠部２３の後端にぶつかるようなことがない。
【００５７】
また、位置決め支軸２５の嵌合軸高さは、遊技釘３２の釘高さよりも大きく構成されている。このため、化粧板３１の前面に突設された遊技釘３２が窓口開口２１ｗの開口内に進入する際には、既に上下の位置決め支軸２５と各支軸受容孔３５とが嵌合されて化粧板３１の上下・左右及び回転方向位置が位置決めされており、遊技領域ＰＡ内に配設されるべき遊技釘は既に窓口開口２１ｗの開口面域内の適正な位置に配設されている。
【００５８】
従って、上記のように上下の位置決め支軸２５が支軸受容孔３５の前縁部と嵌合し、化粧板３１の上下・左右及び回転方向の位置が位置決めされた状態で、遊技盤３０を前方に押圧すると、化粧板３１は上下の位置決め支軸２５と支軸受容孔３５との嵌合によりガイドされ、化粧板３１の前面側が枠部２３の後端にぶつかることなく、また遊技釘３２が前方支持面２２や内外のレール部２１ａ，２１ｂに衝突することなく枠部２３の内側に進入する。そして化粧板３１の前面が窓口開口の後端に形成された前方支持面２２、及び位置決め支軸２５の台座部に形成された前方支持面２６に当接し、化粧板３１が枠部２３内に収容される。
【００５９】
収容状態では位置決め支軸２５の後端部が支軸受容孔３５から化粧板３１の裏面側に突出して配設されるため、作業者は上下の位置決め支軸２５の後端部が化粧板３１の裏面側に突出したか否かを目視確認することで遊技盤の収容状態を容易に把握できる。また支軸受容孔３５の全長で遊技盤３０が支持されているため、化粧板３１を常時前方に押さえつけていなくても遊技盤が滑り落ちてくるようなことがない。そこで、遊技盤３０の収容が確認されたら、化粧板３１の背面を軽く支えながらレバー部材のレバー部５２ａに指を掛け、図１１(ｂ)に示すように各レバー部材５２を順次回動操作する。
【００６０】
レバー部材５２は、コイルスプリング５３により前方に押圧されてバネ収容部５２ｂが支軸ボス２７のレバー支持面に当接した状態で付勢支持されており、レバー部材５２が回動操作されレバー部５２ａの先端側がクランプ軸５１の軸まわりに回動されると、レバー部５２ａの前面側端部が化粧板３１の後端角部に当接する。レバー部５２ａの前面側端部にはテーパー状の導入部５２ｃが形成されており、導入部５２ｃが化粧板３１の後端角部に当接した状態でレバー部材５２がさらに回動されると、テーパー状の導入部５２ｃが化粧板３１の縁部に乗り上げるように移動し、コイルスプリング５３のバネ力により化粧板３１を前方に押圧しながらレバー部５２ａの前面が化粧板３１の後面と係合する。このため化粧板３１は前方に付勢されて前方支持面２２，２６に当接支持され、前方支持面２２，２６とレバー部５２ａとの間に挟持された状態で係止保持される（図１０）。
【００６１】
上記レバー部材５２による係止過程では、コイルスプリング５３のバネ力によりレバー部５２ａの前面が化粧板３１の後面に押し付けられた係合状態で回動されるため、レバー部前面と化粧板後面との間の摩擦係数及び押圧力に応じた摩擦力が発生する。このため、化粧板３１は、レバー部材５２の付勢方向である前方に押圧されることに加えて、レバー部前面と化粧板後面との間に生じる摩擦力によって化粧板３１の板面に沿った鉛直面内で各レバー部５２ａの変位方向にも押圧される。
【００６２】
本構成では、上下４箇所の遊技盤係止保持機構５０を、レバー部材５２をそれぞれ回動させて化粧板３１の後面に係合させたときに、各レバー部材５２がクランプ軸５１と直交する面内（化粧板３１の板面に沿った面内）で化粧板３１を同一方向に押圧するような配設位置に設けている。すなわち、各レバー部材５２を図１１(ｂ)に示ように解放位置から係止位置に向けて回動させたときに、各レバー部材５２と化粧板３１との間に発生する摩擦力がいずれも化粧板３１を左方向に押圧するような配設位置に設けている。このため、４箇所の遊技盤係止保持機構５０を順次解放位置から係止位置に回動操作したときに、化粧板３１はレバー部材５２の操作順序等によらず図中に白抜き矢印で示す左方向に押圧され、位置決め支軸２５と支軸受容孔３５の軸ピンと軸孔の嵌合による位置決め支持作用と相まって遊技盤３０が一定の嵌合公差内で常に左方向の一定位置に配設される。
【００６３】
なお、化粧板３１の押圧方向は、位置決め支軸２５の延びる方向と直交する面内の右方向や下方であっても良く、遊技盤係止保持機構５０を収容枠の周囲４箇所に配設した例を示したが、遊技盤係止保持機構５０の配設数は化粧板３１を浮き上がりなく係止可能であれば、３箇所または５箇所以上に設ける構成であっても良い。
【００６４】
以上説明したように、本構成の遊技盤係止保持機構５０では、クランプ軸５１にレバー部材５２、コイルスプリング５３、平座金５４、ロックナット５５及び袋ナット５６を組付けてレバー組立体５０Ａが形成され、このレバー組立体５０Ａの軸側係合部をレバー装着部５０Ｂの枠側係合部に挿通して係合させることで、レバー組立体５０Ａが一体的に装着されて遊技盤係止保持機構５０が形成される。このため、複数の小物部品の組付け作業を遊技機本体の組み立てと切り離した別工程で行うことができ、遊技機本体の組み立て工程を簡明化することができる。またレバー組立体５０Ａの装着を全て前枠２の後面側で行えるため、遊技盤係止保持機構５０の組み立てを片面作業とすることができ、かつ遊技盤２０の着脱方向とも一致させていることから組み立てラインも片面作業を基本として組むことができる。
【００６５】
さらに、クランプ軸５１を前方に押圧しながら軸まわりに回動させて軸側係合部を挿抜可能な角度位置に合わせることで、組付けられたレバー組立体５０Ａを容易に取り外すことができるため、特殊工具等を用いることなく簡単に分解することができ、遊技機のリサイクル工数及びコストを低減させることができる。また、遊技施設でクランプ軸５１が破損等して使用不能になった場合には、当該損傷を受けたレバー組立体のみを簡単に交換することができ、わずかな作業工数で交換作業を終了することができる。
【００６６】
従って、以上説明したような遊技盤係止保持機構によれば、遊技機の組み立て工程を簡明化して生産性の向上に寄与するとともに、遊技機回収後のリサイクル性を向上させ、さらに遊技盤係止保持機構の不具合に対するメンテナンス工数をも削減させることができる。
【００６７】
なお、以上では軸側係合部として、クランプ軸５１の前端部に１８０度の軸対称位置２箇所において軸部５１ａから軸直交の外周方向に突出する係合ピン５１ｂ，５１ｂを設け、枠側収容部は正面視における孔形状が軸側係合部の正面視の形状と相似形でわずかに大きめに形成した貫通孔（２７ａ，２７ｂ）及び係合ピンを受容する２箇所のピン係合溝２８ｂで形成した実施形態を例示した。しかし、本願発明はこのような構成例に限定されるものではなく、本発明の趣旨を逸脱しない範囲で適宜変更することができる。
【００６８】
例えば、図１２(ａ)(ｂ)は、軸側係合部と枠側係合部の他の構成例をそれぞれ正面図で示したものであり、図１２(ａ)に示すようにクランプ軸６１の前端部に１２０度の軸対称位置３箇所において軸部６１ａから軸直交の外周方向に突出する係合ピン６１ｂを設け、枠側収容部は正面視における孔形状が上記軸側係合部の正面視の形状と相似形でわずかに大きめに形成した貫通孔（２７ａ，２７ｂ）及び係合ピンを受容する３箇所のピン係合溝２８ｂで形成した構成例を示す。また図１２(ｂ)はクランプ軸７１の前端部に１８０度の軸対称位置２箇所において軸部７１ａから軸直交の外周方向に突出する扇状の係合片７１ｂを設け、枠側収容部はこれと相似形でわずかに大きめに形成した貫通孔（２７ａ′，２７ｂ′）及び係合片を受容する２箇所の係合片受容溝２８ｂ′で形成した実施形態を示す。
【００６９】
また以上では、収容枠２０が前枠２の後面側に形成され、遊技盤２０を前枠２の後方から着脱する遊技盤後方脱着形態のパチンコ機に本発明を適用した場合について説明したが、これまでの説明からも明らかなように、前枠２の表裏を反転させて収容枠や遊技盤係止保持機構等を前枠２の前面側に形成することで、遊技盤２０を前枠２の前方から着脱する遊技盤前方脱着形態のパチンコ機についても同様に適用して同様の効果を得ることができ、遊技盤を着脱交換可能に保持する遊技機であれば、パチンコ機以外の遊技機（例えば雀球遊技機やアレンジボール機、ピンボール機等）についても同様に適用することが可能である。これらの内容については当業者であれば容易に理解し構成できるため、冗長な記載を避け説明を省略する。
【図面の簡単な説明】
【００７０】
【図１】本発明に係る枠構造を適用した弾球遊技機の一例として示す、パチンコ機を斜め前方から見た斜視図である。
【図２】前面のガラス扉及び球皿ユニットを横開き開放した状態の上記パチンコ機の斜視図である。
【図３】上記パチンコ機を斜め後方から見た斜視図である。
【図４】前枠を外枠の前方に開放し上下の裏機構盤を前枠の後方に開放した状態の斜視図である。
【図５】遊技盤を取り外した状態で収容枠を主として示す前枠後方からの斜視図である。
【図６】レバー組立体をレバー装着部に装着して係止固定するまでの過程を時系列に示す断面図（１）であり、レバー組立体をレバー装着部に装着する前の状態を示す図面である。
【図７】レバー組立体をレバー装着部に装着して係止固定するまでの過程を時系列に示す断面図（２）であり、レバー組立体のクランプ軸をレバー装着部の支軸ボスに収容して押圧した状態を示す図面である。
【図８】レバー組立体をレバー装着部に装着して係止固定するまでの過程を時系列に示す断面図（３）であり、図７の状態からクランプ軸を回動して係止保持させた状態（遊技盤係止保持機構が形成された状態）を示す図面である。
【図９】遊技盤を収容枠に収容させる直前の状態の断面図である。
【図１０】収容枠に収容した遊技盤を遊技盤係止保持機構により係止保持させた状態の断面図（図４におけるX〜矢視方向の断面図）である。
【図１１】化粧板と遊技盤係止保持機構のレバー部材との関係を示す背面図であり、(ａ)は遊技盤係止保持機構を解放位置に配設した状態、(ｂ)は解放位置から係止位置に変位させた状態を示す。
【図１２】遊技盤係止保持機構における軸側係合部と枠側係合部の他の構成例を示す正面図である。
【符号の説明】
【００７１】
ＰＡ  遊技領域
ＰM  パチンコ機
２  前枠
２０  収容枠（遊技盤収容部）
２７  支軸ボス（２７ａ  円孔部、２７ｂ  ピン挿通溝）
２８  軸端収容部（２８ａ  収容穴、２８ｂ  ピン係合溝）
３０  遊技盤
３１  化粧板
５０  遊技盤係止保持機構
５０Ａ  レバー組立体
５０Ｂ  レバー装着部
５１  クランプ軸（５１ａ  軸部、５１ｂ  係合ピン）
５２  レバー部材
５３  コイルスプリング
５４  平座金
５５  ロックナット
５６  袋ナット
【図１】
2006230916.tif 000003
【図２】
2006230916.tif 000004
【図３】
2006230916.tif 000005
【図４】
2006230916.tif 000006
【図５】
2006230916.tif 000007
【図６】
2006230916.tif 000008
【図７】
2006230916.tif 000009
【図８】
2006230916.tif 000010
【図９】
2006230916.tif 000011
【図１０】
2006230916.tif 000012
【図１１】
2006230916.tif 000013
【図１２】
2006230916.tif 000014